(57)【要約】  電気音響変換器（１）において、内部空間（２２）を囲む環状の音声生成手段（３８）が設けられ、内部空間（２２）には集積回路（３１）が収容され、集積回路（３１）によってＲＦＩＤ通信パートナ装置（３７）の通信回路（３１Ｂ）が形成される。
2007511949.tif 000002
【特許請求の範囲】
【請求項１】
音声生成手段を持ち、且つ回路ユニットを持つ電気音響変換器において、前記回路ユニットが回路基板及び信号処理回路の少なくとも１つの回路素子を持ち、前記回路素子が前記回路基板に取り付けられ、前記音声生成手段が、形状において環状であり、内部空間を囲み、前記変換器が製造されているとき及び前記回路ユニットが取り付けられる前に、前記内部空間が前記音声生成手段の外側からアクセス可能であり、前記少なくとも１つの回路素子が、前記音声生成手段内の前記内部空間内に配置され、非接触通信に対する通信パートナ装置の通信回路を形成する電気音響変換器。
【請求項２】
前記回路基板に接続された集積回路により形成された単一の回路素子のみが設けられ、前記集積回路が前記通信回路を形成する、請求項１に記載の電気音響変換器。
【請求項３】
前記集積回路が、プラスチック封止に埋め込まれ、前記音声生成手段に属する可動コイルの可動コイル接点に夫々接続された２つの接続接点が、前記プラスチック封止上に設けられ、前記可動コイルが、更に、前記通信パートナ装置の非接触送信手段を対象とし、前記通信パートナ装置の非接触送信手段として使用される、請求項１に記載の電気音響変換器。
【請求項４】
前記音声生成手段がダイアフラムを持ち、夫々円形の環のセクタの形状である４つの接点端子が、前記ダイアフラムから離れた前記回路基板の面上に設けられる、請求項１に記載の電気音響変換器。
【請求項５】
前記回路ユニットが、別のツールを使用せずに取り外し可能であるように構成される、請求項１に記載の電気音響変換器。
【請求項６】
前記変換器がカップ形状のハウジングを持ち、変換器軸が向けられた方向における前記ハウジングの高さが２ｍｍないし５ｍｍであり、前記変換軸が向けられた方向に垂直な前記ハウジングの直径が６ｍｍないし２０ｍｍである、請求項１に記載の電気音響変換器。
【発明の詳細な説明】
【技術分野】
【０００１】
本発明は、音声生成手段を持ち、回路基板と前記回路基板上に取り付けられた信号処理回路の少なくとも１つの回路素子とを持つ回路ユニットを持つ電気音響変換器（electro-acoustic transducer）に関する。
【背景技術】
【０００２】
上の初めの段落に記された種類の電気音響変換器は、米国特許公開公報ＵＳ６２４３４７２Ｂ１から既知である。この既知の変換器において、複数の回路素子が前記回路ユニットのキャリアに設けられ、前記キャリアは基板の形式であり、前記回路素子は、前記音声生成手段にフィードされるべき及びフィードされた信号を処理し、これに対して作用するのに使用される変換器回路を形成する。変換器に組み込まれた変換器回路を持つこの種の変換器に関連して、2000年7月18日の出願番号ＰＣＴ／ＩＢ０３／０３２７５を持つ国際特許出願公報（ＰＨＡＴ０２００４９ＥＰ−Ｐ）が参照されることができる。前記既知の電気音響変換器において、前記少なくとも１つの回路素子は、変換器回路を形成し、音響信号の処理に関する利点を与えるが、他方で、この種の変換器が、多くの場合に、既知の変換器がサポートしない追加の機能が備えられた装置において使用されるので、前記少なくとも１つの回路素子は制限を構成する。
【発明の開示】
【発明が解決しようとする課題】
【０００３】
本発明の目的は、上で特定された制限を取り除き、改良された電気音響変換器を生成することである。
【課題を解決するための手段】
【０００４】
上記目的を達成するために、本発明によるフィーチャが本発明による電気音響変換器に備えられ、したがって、本発明による電気音響変換器が、以下に記される態様で特徴付けられることを可能にする。
【０００５】
電気音響変換器は、音声生成手段を持ち、回路基板と前記回路基板上に取り付けられた信号処理回路の少なくとも１つの回路素子とを持つ回路ユニットを持ち、前記音声生成手段は、形状が環状であり、内部空間を囲み、前記内部空間は、前記変換器が製造されるときに及び前記回路ユニットが取り付けられる前に前記音声生成手段の外からアクセス可能であり、前記少なくとも１つの回路素子は、前記音声生成手段における内部空間内に配置され、非接触型の通信に対する通信パートナ装置の通信回路を形成する。
【０００６】
本発明によって規定することにより達成されるのは、特に、電気音響装置を対象とした電気音響変換器が、更に、この電気音響装置に属する通信パートナ装置を生成するのに使用されることができることであり、これは、可能な限り安価でスペースを取らず、できるだけ少数のアセンブリステップを要する解決法に対して有利である。前記回路基板に取り付けられた前記通信回路の前記少なくとも１つの回路素子が前記」音声生成手段における前記内部空間内に収容され、したがって追加のスペースを取らないので、本発明によるフィーチャの提供は、構造的に単純な態様で、通信パートナ装置の内蔵通信回路を持つ電気音響変換器の特にスペースを取らない設計を得ることを可能にする。
【０００７】
本発明による電気音響変換器において、複数の別個の回路素子が前記回路基板上に設けられ、通信回路を形成する。この種の通信回路は、薄膜技術によって生成されることもできる。しかしながら、これは、前記通信回路を形成する集積回路が前記回路基板に接続されることにより形成される単一の回路素子のみが設けられると高度に有利であることが証明されている。特に小さくスペースを取らない解決法がこのようにして得られることができる。
【０００８】
集積回路を持つ実施例において、更に、請求項３に記載のフィーチャが備えられると高度に有利であることが更に証明されている。これは、可動コイルが２つの目的で有利に使用されることを意味する。この種の解決法は、前記可動コイルと前記通信回路との間の電気導通接続が可能な限り単純な形式であることを可能にする点でも有利である。
【０００９】
前記音声生成手段がダイアフラムを持つ、本発明による電気音響変換器において、互いに平行に延在する接続接点（connecting contacts）は、前記ダイアフラムから離れている前記回路基板の面上の点又はストリップの形で設けられることができる。しかしながら、夫々円形の環のセクタの形状である４つの接続接点が、前記ダイアフラムから離れた前記回路基板の面上に設けられると高度に有利であることが証明されている。
【００１０】
前記回路ユニットが、例えば、少なくとも１つのネジによって適所に留められることができる。しかしながら、前記回路ユニットが、別のツールを使用せずに取り外し可能であるように構成されると高度に有利であることが証明されている。この目的で、ラッチ接続（latching connection）又はバイオネット型接続（bayonet-type connection）が、前記回路ユニットと前記変換器の他の構成部分との間に設けられてもよい。前記回路ユニットと前記変換器の他の構成部分との間により強い又は弱い締め付けのプレス嵌めが設けられることも可能である。
【００１１】
本発明のこれら及び他の態様は、以下に記載される実施例を参照して説明され、明らかになるが、しかしながら本発明はこれらの実施例に限定されない。
【発明を実施するための最良の形態】
【００１２】
図１は、この場合にはラウドスピーカ１である電気音響変換器１を示す。変換器１は中心について実質的に対称な形状であり、変換器軸２を持つ。
【００１３】
変換器１は、金属からなるカップ状（cup-like）の形状のハウジング３を持ち、ハウジング３は端壁４及び側壁５を持ち、端壁４は円形の高くなった部分６を備え、円形の高くなった部分６は音声の通過用の開口（図示されない）を設けられ、側壁５から突き出し且つ変換器軸２に向かう半径方向に延在するストリップの形状の４つのタブ７が存在し、タブ７によってハウジング３に収容される変換器１の構成部分が軸方向位置に固定される。４つより多いこのようなタブ７が設けられることも可能である。ハウジング３に収容された変換器１の構成部分の半径方向位置は、側壁５の助けを借りて固定される。カップ状ハウジング３の領域内の変換器軸２が向けられた方向におけるカップ状ハウジング３の高さは３．２ｍｍである。変換器軸２に垂直に延在する方向におけるハウジング３の直径は１３．２ｍｍである。したがって、変換器１は、特に小型の変換器である。変換器１は、例えば、携帯電話及び特に小型であることを目的とする同様の電気通信装置において使用されることを目的とし、これは、変換器１のような装置で使用される素子が特に小型であり、少量のスペースのみを占めることを必要とすることを意味する。結果的に、この種の変換器１の寸法が１０分の１ミリメートルだけでも既知の変換器の寸法より小さいことは有利である。
【００１４】
変換器１は、縁領域９において実質的にＵ字形であるダイアフラム８を含み、Ｕ字形縁領域９はリング１０に接続され、リング１０は、ダイアフラム８が製造されるときにダイアフラム８に接続され、リング１０は、輸送目的及びアセンブリ目的で使用される。変換器１が製造されるとき、リング１０及びリング１０に接続されたダイアフラム８は、変換器軸２の方向に平行にハウジング３内に滑り入れられ、タブ７はもちろん依然として折り曲げられておらず、変換器軸２に実質的に平行な方向に延在している。ダイアフラム８は、Ｕ字形縁領域９と接続される中間領域１１と、中間領域１１と接続する環状締め付け領域１２と、締め付け領域１２の内側に位置する中心領域１３とを持ち、中心領域１３は音声を生成するのに使用される。この目的で、ダイアフラム８は全体的に変換器軸２に平行に振動することができるように構成される。
【００１５】
変換器１は、磁石システム１４をも持つ。前記磁石システムは、永久磁石１５と、円形の環の形状であり、永久磁石１５に対して平らに置かれている第１のヨーク１６と、断面においてＬ字形の構成の第２のヨーク１７とを有し、第２のヨーク１７のディスク形の第１の部分１８は、同様に永久磁石１５に対して平らに置かれており、中空の円柱の形状の第２の部分１９は、変換器軸２に平行な方向に第１の部分１８から突き出している。変換器１が製造されているとき、第１のヨーク１６、次いで永久磁石１５、次いで第２のヨーク１７が、変換器軸２の方向に平行にハウジング３内に滑り入れられる。一度前記磁石システムの３つの部分１６、１５及び１７が適所に滑り入れられると、ハウジング３におけるタブ７が、図１及び２に示される位置まで曲げられ、この結果としてダイアフラム８及び磁石システム１４が適所に固定される。第２のヨーク１７の第２の部分１９の自由な端部と第１のヨーク１６の内側端部との間には、前記磁石システムの２つの部分、即ち第１のヨーク１６及び第２のヨーク１７により定められるエアギャップ２０が形成される。磁石システム１４は、ダイアフラム８から離れた側に位置する境界面２１を持ち、境界面２１は、磁石システム１４の外側の境界を形成し、境界面２１は、第２のヨーク１７の第１の部分１８の円形の環の形状の面により形成される。
【００１６】
磁石システム１４、可動コイル２９及びダイアフラム８は、変換器１の音声生成手段３８を形成する。
【００１７】
図１及び２からわかるように、磁石システム１４は、有利に、この場合に形状において環状である。結果として、音声生成手段３８も形状において環状である。磁石システム１４は内部空間２２を囲み、内部空間２２は、変換器１が製造されているとき及び回路２３が取り付けられる前に、変換器軸２に垂直な方向において磁石システム１４の範囲全体にわたり磁石システム１４の外側からアクセス可能であり、内部空間２２を通過する変換器軸２を持つ。この場合、磁石システム１４及び音声生成手段３８の環状形状は、円形の環として定められる。前記環状形状は、しかしながら、楕円形、長方形又は正方形の構成であってもよい。
【００１８】
内部空間２２に堅く保持されるのは、プラスチック材料からなり、２つの可動コイル接点２５を保持することを目的とする接点台（contact carrier）２４であり、断面図であるという事実のために可動コイル接点２５の一方２５のみが図１において見られることができる。可動コイル接点２５は、接点台２４内にモールディングされることにより接点台２４に接続される。各可動コイル接点２５はＵ字形部分２６を持ち、Ｕ字形部分２６の両側の部材の間に可動コイルワイヤの一端２７が締め付けられる。各可動コイル接点２５は、Ｕ字形部分２６の片側の部材から突き出しているＬ字形部分２８を持つ。
【００１９】
変換器１は可動コイル２９を含み、可動コイル２９は、部分的にエアギャップ２０内に配置され、接着されたジョイント（図示されない）によって後の方の締め付け領域１２においてダイアフラム８に接続される。可動コイル２９は、磁石システム１４と協働し、音響的に再生されるべき信号を表す電気信号が可動コイル２９にフィードされ、この結果として可動コイル２９は振動させられ、ダイアフラム８は音響的に再生されるべき前記信号を生成する。可動コイル２９にフィードされる電気信号は、増幅されなければならず、可動コイル２９にフィードされる前に、必要であれば作用される信号波形を持つことが必要であるかもしれない。これに必要とされるのは、前記信号に対する必要な作用を実行する、特に増幅するように構成された変換器回路３１Ａである。
【００２０】
変換器１において、この変換器回路３１Ａは、変換器１に直接的に接続される。この目的のために、既に記載された回路ユニット２３が変換器１に設けられる。回路ユニット２３は、皿状の形状の回路基板３０を持ち、回路基板３０は、軸方向において環状の磁石システム１４の境界面２１に隣接するように配置される。この場合に皿状の形状の回路基板３０に設けられ、取り付けられるのは、回路基板３０に接続された集積回路３１により形成された単一の回路素子３１のみであり、集積回路３１は図１において概略的にのみ示され、集積回路３１は、変換器回路３１Ａ及びこれに加えて通信パートナ装置３７の通信回路３１Ｂを形成し、通信パートナ装置３７は以下により詳細に考慮される。集積回路３１は、有利には、この場合にダイアフラム８に隣接する回路基板３０の面３２上に配置される。これは、集積回路３１が磁石システム１４内の内部空間２２内に配置される状況を生成し、これは、内部空間２２内でとにかく利用可能である空間が、集積回路３１を収納するように活用されるという主要な利点を与え、これは、追加の空間が集積回路３１を収納するために必要とされないことを意味し、これは、可能な限り小さい変換器回路３１Ａ及び通信回路３１Ｂを含む変換器１に対する高さを得るのに有利である。集積回路３１は、実質的にカップ形プラスチック封止（plastics encapsulation）３３に埋め込まれる。プラスチック封止３３から突き出しているのは、前記プラスチック封止内にモールディングされることにより前記プラスチック封止に接続された２つの接続接点３４であり、接続接点３４の夫々は可動コイル接点２５に対する電気導通接続を持ち、前記電気導通接続は、夫々の場合に接続接点３４と可動コイル接点２５のＬ字形部分２８との間で行われる。２つの接続接点３４の夫々は、集積回路３１の端子（図示されない）に接続される。回路基板３０は、この場合に小さなプリント回路基板により形成され、回路基板３０にプラスチック封止３３が接続される。回路基板３０及びプラスチック封止３３は、しかしながら、全て１つのピースになっていてもよく、この場合、回路基板３０もプラスチック材料からなり、したがって特に単純且つ有利な実施例を与える。
【００２１】
図３からわかるように、ダイアフラム８から離れた回路基板３０の面３５に夫々円形の環のセクタの形状である４つの接点端子３６が備えられる。これらの接点端子３６のうち２つは、音響信号として再生されるべき電気信号にフィードするために使用される。これらの接点端子３６の他の２つは、集積回路３１に対するＤＣ供給電圧にフィードするために使用され、前記ＤＣ供給電圧は、変換器回路３１Ａに常にフィードされ、ことによると、通信回路３１Ｂが動作するモードに依存して、通信回路３１Ｂにも同様にフィードされる。
【００２２】
通信回路３１Ｂ及び通信回路３１Ｂを含む通信パートナ装置３７に関して、この種の通信パートナ装置３７及びこの種の通信回路３１Ｂが昔から既知であることは言及されるべきである。これらは、読み出し／書き込み端末とトランスポンダと呼ばれるものとの間で通信が実行されることを可能にする通信手段であり、この通信により前記トランスポンダに記憶された第１のデータが前記読み出し／書き込み端末に送信されることができ、前記読み出し／書き込み端末に含まれる第２のデータが前記トランスポンダに送信されることができる。この種の通信パートナ装置３７に関連して、特定の特許文書、即ち、例えばＵＳ５３４５２３１、ＥＰ０４７３５６９Ｂ２、ＥＰ０６６９５９１Ｂ１、ＵＳ６１６８０８３Ｂ１、ＥＰ０７８３７４０Ｂ１、ＵＳ６５６３８８２Ｂ１、ＵＳ６５１０１４９Ｂ１、ＵＳ６５８３７１７Ｂ１、ＵＳ６４４２２１５Ｂ１、ＥＰ１０３８２５７Ｂ１、ＥＰ１０６４６１６Ｂ１、ＵＳ６３０１１３８Ｂ１、ＷＯ０２／５１０２１Ａ１及びＷＯ０２／５１１８３Ａ１、並びに特定の規格、即ち、例えばＩＳＯ１４４４３、ＩＳＯ１５６９３、ＩＳＯ１８０００及びＩＳＯ１８０９２に注目することができる。上述の特許文書及び規格の内容は、参照によりここに組み込まれる。言及された最後の２つの特許文書からわかるように、トランスポンダ機能及び／又は読み出し／書き込み機能を持つ通信パートナ装置が携帯電話、即ち無線により通信する携帯装置に設けられることは既知である。しかしながら、今まで、通信パートナ装置の通信回路が別の素子として設けられる、又は無線により通信する携帯装置に対してバッテリのような交換可能な素子に別の素子として設けられることのみが既知であった。これに対して、図１ないし４を参照することにより説明された解決法において、通信パートナ装置３７の通信回路３１Ｂは、電気音響変換器１の中に設けられ、電気音響変換器１が、無線により通信する携帯装置、及び他の電気音響装置（ＰＤＡ、ページャ）内に設けられ、配置される。この解決法は、通信パートナ装置３７の通信回路３１Ｂに対して追加の空間が全く必要とされないという利点を与える。図１ないし４に示された解決法の場合、通信回路３１Ｂが単一の集積回路３１によって変換器回路３１Ａと共同で実装されるという追加の利点が得られ、これは、可能な限り低いコストを与える点でも有利である。
【００２３】
この場合、通信パートナ装置３７は、通信回路３１Ｂによって及び可動コイル２９によって実装され、可動コイル２９は同時に非接触通信に対する送信手段として使用される。可動コイル２９により形成された非接触送信手段によって、データの非接触送信が、変換器１に収容されている通信パートナ装置３７の通信回路３１Ｂと、読み出し／書き込み装置（図示されない）、即ち他の通信パートナ装置との間で可能になる。
【００２４】
更に、非接触送信手段として可動コイル２９を使用するのではなく、通信回路３１Ｂが、可動コイル２９に加えて設けられた通信コイルに接続される解決法も提供されることができることは言及されるべきである。この種の解決法は、別の通信コイルが、電気音響変換器１の寸法に対してより高い独立の度合いでサイズを決定されることができ、これにより送信のより良い条件がおそらく得られることができるという利点を与える。
【００２５】
この場合、回路ユニット２３は、ラッチ接続により適所に固定される（図には示されていない）。このラッチ接続は、接点台２４とプラスチック封止３３との間で行われる。しかしながら、前記ラッチ接続は、例えば、第２のヨーク１７と回路基板３０との間のような、変換器１の他の構成部分間に設けられることもできる。回路ユニット２３はラッチ接続によって適所に固定されるので、回路ユニット２３は、別のツールの必要性なしで変換器１の残りの部分から取り外されることができる。したがって回路ユニット２３は、別のツールなしで取り外し可能であるように設計される。しかしながら、回路ユニット２３は、容易に解放可能なスナップ接続（snap-action connection）又はバイオネット接続によって適所に固定されることもできる。回路ユニット２３は、例えば局所的な点における接着されたジョイント又は溶接されたジョイントによって適所に固定されることもできる。
【００２６】
変換器１を用いる特に有利な態様において達成されるのは、第一に、集積回路３１を収容するために非常に少量の追加の空間のみ、即ち皿状回路基板３０に必要とされる量の空間が、変換器軸２が向けられた方向において必要とされるが、しかしながら１ミリメートルの１０分の１程度にしかならないことであり、第二に、変換器１が完成された後でさえ回路ユニット２３が容易且つ単純にアクセス可能であり、満足に動作することに失敗する場合に容易且つ単純に交換されることができることである。
【００２７】
図１ないし４に示された変換器１の変更されたバージョンにおいて、設けられた回路基板は、ハウジング３の側壁５まで延在するものではなく、代わりに回路基板３０の外側の直径は、内部空間２２の内部直径と同じだけであり、プラスチック封止３３及び回路基板３０により占められる空間の高さは、ダイアフラム８から離れた回路基板３０の面３５が、前記磁石システムの境界面２１と同一平面に位置するか、又は更に境界面２１から前記軸方向に前記内部空間内にわずかにオフセットされる位置にあるようになっているだけであり、これは、この場合にも回路基板３０が、磁石システム１４の境界面２１に隣接するように、即ち半径方向に実質的に隣接するように配置されることを意味する。この結果として、集積回路３１を含む回路ユニット２３を収容するのに、変換器軸２が向けられる方向において追加の空間が全く必要とされない。変換器１のこの変更されたバージョンにおいて、回路基板３０は、プラスチック封止３３の底壁により形成されてもよい。
【００２８】
回路ユニット２３に関して、回路ユニット２３が、表面取り付け可能な（surface-mountable）形であり、したがってＳＭＤプロセスにより携帯電話又は同様なデバイスのプリント回路基板に接続されることができることも言及されるべきである。したがって回路ユニット２３は、変換器１に対する表面取り付け可能なアダプタを形成し、この場合、前記アダプタは、顧客の要望又は応用に依存して変換器１の残りの部分に接続されてもされなくてもよい。
【００２９】
回路基板３０と磁石システム１４の第２のヨーク１７との間で特に良い熱伝導を提供するように設計された中間層が、ダイアフラム８から離れた磁石システム１４の境界面２１とダイアフラム８に隣接した回路基板３０の面３２との間にも設けられることができることも言及されるべきである。
【００３０】
変換器１に関して、回路ユニット２３が変換器１に設けられない、即ちこの種の回路ユニット２３を持たない変換器１が、携帯電話又は同様な装置に取り付けるために顧客に提供されることが同等に可能であり、この場合、回路ユニット２３無しで供給されたこの種の変換器１が変換器１の外部にある変換器回路から音響的に再生されるべき電気信号を供給されなければならず、この外部の変換器回路が、２つの可動コイル接点２５のＬ字形部分２８に直接的に接続されることも言及されるべきである。
【００３１】
変換器回路３１Ａ及び通信回路３１Ｂは、２つの別の集積回路により形成されることもできる。通信回路３１Ｂは、規格ＩＳＯ１８０９２に関するいわゆるＮＦＣシステムの場合のようにトランスポンダ回路及び読み出し／書き込み端末回路の両方を含むことができる。この種のいわゆるＮＦＣトランスポンダにおいて、データの送信は、夫々の対向する方向において一方向のみではなく、双方向にも可能である。
【００３２】
変換器１が携帯電話において使用される場合、変換器１の通信回路３１Ｂは、音響信号が通信回路３１Ｂを介して送信されるだけでなく、テキスト及び画像データが例えば携帯電話のディスプレイに送信されることも可能にするために前記携帯電話（暗号化ユニットを持っていても持っていなくてもよい）に属するプロセッサに追加の接点を介して接続されることもできる。
【００３３】
本発明による電気音響変換器がマイクロホンであってもよいことが言及されることができる。本発明による電気音響変換器は圧電トランスデューサの形式を取ってもよい。この場合、いわゆるＭＥＭＳ技術が採用されることができ、これにより圧電ラウドスピーカ及び／又は圧電マイクロホンがＩＣ上に実装される。
【００３４】
通信回路３１Ｂによって、着信及び発信信号（データ）は、それぞれ解読及び暗号化されることができ、したがって盗聴に対して安全な通信が通信回路３１Ｂを介して行われることを可能にすることができる。通信前に、前記通信に関与するパートナは、盗聴に対して安全な通信が行われることを可能にするために関連した鍵（ＲＳＡ、ＤＥＳ、トリプルＤＥＳ、楕円曲線等）を交換しなくてはならない。これは、非常に役立ち、特に金銭を伴う取引の場合に実際に必要である。
【００３５】
コード記憶は、通信回路３１Ｂによっても実行されることができ、これは、オプションとして、例えばラウドスピーカ調整に対する特別な調整データが、例えば、前記ラウドスピーカが増幅器を介して調整されることを可能にするために周波数（高音周波数、低音周波数）を調整する関連したチップ（例えばＮＦＣチップ）に記憶されることができる。符号語及び／又は数字コードが入力マイクロホン及びダウンストリーム音声パターン認識手段を介して入力されるように規定されることもできる。
【００３６】
携帯電話の場合、内蔵の通信回路３１Ｂを持つ本発明による変換器に加えて、例えばヘッドセットに収容され、特別な暗号化ユニット（固定又は可変）を持つ他の追加の電気音響変換器を備える可能性も存在し、この場合、データは、内蔵通信回路３１Ｂによって非接触で（又はケーブルを介して）かつ暗号化された形式で前記携帯電話から前記ヘッドセットに送信されることができ、前記データは、前記ヘッドセットに備えられた他の通信回路によって復号されることができ、これは、復号されたデータ、及び結果として信号が、耳の中で直接的に得られるようになることを意味し、この結果として、この場合には暗号化された形式で送信されたデータ又は信号のみが盗聴されることができるので、送信されたデータは、特に盗聴に対して安全である。
【図面の簡単な説明】
【００３７】
【図１】変換器が回路ユニットを備える本発明の一実施例による電気音響変換器を断面で示す。
【図２】前記回路ユニットなしで、図１による変換器を後からの斜視図で示す。
【図３】図１による変換器の回路ユニットを後からの斜視図で示す。
【図４】図１による変換器の回路ユニットを前からの斜視図で示す。
【図１】
2007511949.tif 000003
【図２】
2007511949.tif 000004
【図３】
2007511949.tif 000005
【図４】
2007511949.tif 000006
【国際調査報告】
2007511949.tif 000007
2007511949.tif 000008
2007511949.tif 000009